(57)【要約】【課題】  本発明はアクチュエータを提供する。【解決手段】このアクチュエータは、駆動部材に結合された回転可能な入力部材を有しており、入力負荷下での入力部材の回転により、第１の軸線を中心とする駆動部材の回転を引き起こす。駆動部材は、第２の軸線を中心とする被駆動部材の回転を引き起こすように、被駆動部材に結合されている。駆動部材と被駆動部材との間の結合部は、駆動部材から被駆動部材へ回転減速をもたらすように配置されている。被駆動部材は、ボードンケーブルのワイヤに連結可能に配置されており、被駆動部材の回転により、ケーブルの伸張または引っ込みを引き起こす。制動手段は、アクチュエータの制動表面に制動負荷を及ぼし、制動手段は、駆動部材と協働するように配置されており、逆駆動がボードンワイヤを介して被駆動部材に及ぼされて、被駆動部材が駆動部材を回転させる傾向があるとき、制動手段と協働する。【選択図】      図１
2007278509.tif 000002
【特許請求の範囲】
【請求項１】
（ａ）ハウジングを具備しており、このハウジング内に、
（ｂ）回転可能な入力部材と、
（ｃ）駆動部材と、
（ｄ）被駆動部材と、
（ｅ）制動手段と、を具備している、アクチュエータであって、
前記回転可能な入力部材は、入力負荷下での入力部材の回転により、第１の軸線を中心とする駆動部材の回転を引き起こすように、駆動部材に結合されており、
前記駆動部材は、駆動部材の回転により、第１の軸線から横方向にずれている第２の軸線を中心とする被駆動部材の回転を引き起こすように、被駆動部材に結合されており、駆動部材と被駆動部材との間の結合部は、駆動部材から被駆動部材へ回転減速をもたらすように配置されており、
前記被駆動部材は、ハウジングに対して着座可能なスリーブを有するボードンケーブルのワイヤに連結可能に配置されて、被駆動部材の回転により、ケーブルの伸張または引っ込みを引き起こすようになっており、
前記制動手段は、ハウジングに対して固定されているアクチュエータの制動表面に制動負荷を及ぼし、また制動手段は、駆動部材と協働するように配置されており、この協働は、逆駆動がボードンワイヤを介して被駆動部材に及ぼされて、被駆動部材が駆動部材を回転させる傾向があるとき、駆動部材がその回転を阻止するために制動負荷を増大させるように制動手段と協働するようになっている、アクチュエータ。
【請求項２】
前記回転可能な入力部材は、制動手段と協働するように配置されており、それにより、回転可能な入力部材の回転時、制動手段により及ぼされる制動負荷が減少される、請求項１に記載のアクチュエータ。
【請求項３】
前記制動手段は、湾曲されたばねよりなる、請求項１に記載のアクチュエータ。
【請求項４】
前記制動表面は、ハウジングの環状の表面である、請求項１に記載のアクチュエータ。
【請求項５】
前記制動手段は、互いに間隔を隔てられた曲げ端部分を有する弾性の順環状バンドとして形成されたばねであり、駆動部材は、逆駆動負荷がケーブルを介して被駆動部材に及ぼされると、前記端部のうちの一方と協働し、それにより、ばねは、曲率半径へ拡張され、かくして制動表面に対する制動負荷を増大させる、請求項１に記載のアクチュエータ。
【請求項６】
前記制動手段は、間隔を隔てられた曲げ端部分を有するコイルばねであり、また、前記駆動部材は、逆駆動負荷がケーブルを介して被駆動部材に及ぼされると、前記端部分のうちの一方と協働し、それにより、ばねは、その曲率半径を拡張し、かくして制動表面に対する制動負荷を増大させる、請求項１に記載のアクチュエータ。
【請求項７】
前記制動手段の互いに間隔を隔てられた端部分は、制動表面から内方に延びている、請求項５に記載のアクチュエータ。
【請求項８】
前記の回転可能な入力部材および駆動部材は、同軸に相互に結合されている、請求項１に記載のアクチュエータ。
【請求項９】
前記駆動部材は、ギア連結により被駆動部材に結合されている、請求項１に記載のアクチュエータ。
【請求項１０】
前記ギア連結は、スパーギアの連結である、請求項９に記載のアクチュエータ。
【請求項１１】
前記駆動部材は、回転可能な入力部材と同軸に延びているスパーギアを有している、請求項１０に記載のアクチュエータ。
【請求項１２】
前記駆動部材は、回転可能な入力部材に結合するための第１の部分と、被駆動部材に結合するための第２の部分と、制動手段と協働するための第１および第２の部分の間の第３の部分とを有している、請求項１に記載のアクチュエータ。
【請求項１３】
前記第１、第２および第３の部分のは、共通の軸線を有しており、前記第３の部分は、前記共通の軸線に対して直角な主表面を有するほぼ円形のディスクであり、当接手段が、制動手段と協働するために前記ディスクの主表面から延びている、請求項１２に記載のアクチュエータ。
【請求項１４】
前記制動手段は、拡張してハウジングの環状の制動表面と係合するばねであり、このばねは、１対の間隔を隔てられた端部分を有しており、前記当接手段は、これらの間隔を隔てられた端部分相互間に位置されており、且つ逆駆動負荷下で駆動部材の各回転方向において間隔を隔てられた端部分のうちの夫々の１つに係合するように配置されており、当接手段によりばねの係合により、ばねが、その曲率半径を拡張し、かくして制動表面に対する制動負荷を増大させる、請求項１３に記載のアクチュエータ。
【請求項１５】
前記回転可能な入力部材は、互いに間隔を隔てられた端部分の両側に位置され、且つ入力負荷の影響下で回転可能な入力部材の各回転方向において互いに間隔を隔てられた端部分のうちの夫々の１つに係合するように配置されて当接手段を有しており、この当接手段によるばねの係合により、ばねが、その曲率半径を縮小し、かくして制動表面に対する制動負荷を減少させる、請求項１４に記載のアクチュエータ。
【請求項１６】
前記駆動部材と回転入力部材との夫々の前記当接手段は、駆動部材または回転入力部材の小さい回転運動のみで互いに間隔を隔てられたばねの端部分の係合が生じるように、間隔を隔てられたばねの端部分の各々の各側に狭く間隔を隔てられている、請求項１５に記載のアクチュエータ。
【請求項１７】
前記の小さい回転運動は、４°ないし１０°の範囲内である、請求項１６に記載のアクチュエータ。
【請求項１８】
前記前記の小さい回転運動は、４°ないし６°の範囲内である、請求項１６に記載のアクチュエータ。
【請求項１９】
前記ばねは、入力負荷の影響下で回転可能な入力部材の回転時に制動表面に対してスリップするようになっている、請求項１５に記載のアクチュエータ。
【請求項２０】
前記回転可能な入力部材は、これと駆動部材とが同軸に入れ子状に嵌るように駆動部材の第３の部分を受入れるために凹部を規定する部分環状のスカートを有しており、このスカートは、回転入力部材の当接手段を形成する１対の間隔を隔てられた表面を有する隙間を規定しており、駆動部材の当接手段は、スカートの間隔を隔てられた表面相互間に配置されている、請求項１５に記載のアクチュエータ。
【請求項２１】
所定量の回転の後に回転可能な入力部材の回転を終わらせるために停止手段を有している請求項１に記載のアクチュエータ。
【請求項２２】
駆動部材および被駆動部材の各々は、所定量の回転の夫々の終わりに協働する当接部を有している、請求項２１に記載のアクチュエータ。
【請求項２３】
前記所定量の回転は、前記回転入力部材の約２回転に等しい、請求項２１に記載のアクチュエータ。
【請求項２４】
（ａ）ハウジングを具備しており、このハウジング内に、
（ｂ）回転可能な入力部材と、
（ｃ）駆動部材と、
（ｄ）被駆動部材と、
（ｅ）ブレーキと、を具備している、アクチュエータであって、
前記回転可能な入力部材は、入力負荷下での入力部材の回転により、第１の軸線を中心とする駆動部材の回転を引き起こすように、駆動部材に結合されており、
前記駆動部材は、駆動部材の回転により、第１の軸線から横方向にずれている第２の軸線を中心とする被駆動部材の回転を引き起こすように、被駆動部材に結合されており、駆動部材と被駆動部材との間の結合部は、駆動部材から被駆動部材へ回転減速をもたらすように配置されており、
前記被駆動部材は、ハウジングに対して着座可能なスリーブを有するボードンケーブルのワイヤに連結可能に配置されており、被駆動部材の回転により、ケーブルの伸張または引っ込みを引き起こすようになっており、
前記ブレーキは、ハウジングに対して固定されているアクチュエータの制動表面に制動負荷を及ぼし、またブレーキは、駆動部材と協働するように配置されており、この協働は、逆駆動がボードンワイヤを介して被駆動部材に及ぼされて、被駆動部材が駆動部材を回転させる傾向があるとき、駆動部材がその回転を阻止するために制動負荷を増大させるように制動手段と協働するようになっている、アクチュエータ。
【発明の詳細な説明】
【技術分野】
【０００１】
本発明は、航空機、水上車両および陸上車両におけるような車両のシートに使用されるランバー支持体の作動に適しているアクチュエータに関する。ランバー支持体アクチュエータとしての使用について本発明を説明することは有利であるが、本発明によるアクチュエータが他の分野に用いられることができることはわかるべきである。
【背景技術】
【０００２】
車両のシートに調節可能なランバー支持体を設けることは周知である。調節可能なランバー支持体の種々の異なる形態が存在しており、ランバー支持体自身と、ランバー支持体の調節を可能にするアクチュエータとの両方に変化が生じる。
【０００３】
ランバー支持体用の幾つかの手動アクチュエータは、ランバー支持体の範囲を増大させか或は減少させるために、時計方向および反時計方向の両方に回転されることができる回転可能なノブを有している。この種類のアクチュエータの幾つかの形態では、アクチュエータの機構は、調節された位置からの逆駆動に対してアクチュエータを制動するために制動機能を有している。ノブを回転させるために加えられた力は、制動負荷に打ち勝つことと、ランバー支持体の調節を行うことの両方のために十分に大きくなければならない。このため、ノブは、回転し難いことがある。この困難さは、ノブが、通常、シートと車両のドアフレームとの間で背もたれの側部におけるような限られた位置に位置されるので、深刻化されることがある。
【０００４】
幾つかのランバー支持体アクチュエータは、嵩張っており、それによりアクチュエータが使用されることができるシートのデザインを制限してしまう。また、多くのアクチュエータはランバー支持体を極度の位置相互間で調節するためにノブの数回転を必要とする。
【発明の開示】
【発明が解決しようとする課題】
【０００５】
本発明の幾つかの実施の形態は、簡単で製造容易である改良アクチュエータを提供する。
【課題を解決するための手段】
【０００６】
本発明の１つの実施の形態によれば、ハウジングを有しており、且つこのハウジング内に、回転可能な入力部材と、駆動部材と、被駆動部材と、制動手段とを有しているアクチュエータが提供され、このアクチュエータでは、回転可能な入力部材は、入力負荷下でのその回転により、第１の軸線を中心とする駆動部材の回転を引き起こすように、駆動部材に結合されている。駆動部材は、その回転により、第１の軸線から横方向にずれている第２の軸線を中心とする被駆動部材の回転を引き起こすように、被駆動部材に結合されており、駆動部材と被駆動部材との間の結合部は、駆動部材から被駆動部材へ回転減速をもたらすように配置されている。被駆動部材は、ハウジングに対して着座可能なスリーブを有するボードンケーブルのワイヤに連結可能に配置されており、被駆動部材の回転により、ワイヤの伸張または引っ込みを引き起こすようになっており、制動手段は、ハウジングに対して固定されているアクチュエータの制動表面に制動負荷を及ぼし、また制動手段は、駆動部材と協働するように配置されており、この協働は、逆駆動がボードンワイヤを介して被駆動部材に及ぼされて、被駆動部材が駆動部材を回転させる傾向があるとき、駆動部材がその回転を阻止するために制動負荷を増大させるように制動手段と協働するようになっている。
【０００７】
本発明の幾つかの実施の形態によるアクチュエータは、有利には、比較的少ない部品で組立てられることができる。かくして、本発明によるアクチュエータのコストは、より少ない構成部品および組立てのより大きい容易性により低下されることができる。また、本発明によるアクチュエータの作動の容易性は、改良されることができる。
【０００８】
本発明の幾つかの実施の形態では、駆動部材および回転可能な入力部材の両方は、制動手段と協働するために配置されている。回転可能な入力部材と制動手段との間の協働は、入力負荷が回転可能な入力部材に加えられると、制動表面に及ぼされた制動負荷が減少されるようなものである。入力負荷下での回転可能な入力部材の回転に対する抵抗は、制動手段により及ぼされる制動負荷が減少されない場合に必要とされる労力と比較して、回転可能な入力部材を回転させるための減少労力が達成されるように、減少される。制動負荷のこの減少は、回転可能な入力部材が回転されることができる容易性が重要な特性である場合がそうであるように、アクチュエータがランバー支持体の調節のために用いられ、そして接近し難い場合に重要である。
【０００９】
制動手段は、意図しない調節が回避されるように、逆駆動負荷下で制動負荷が増大されることができる適当なブレーキまたはクラッチ構成体であることができる。１つの形態では、制動手段は湾曲されたばねよりなる。このばねは、順環状のバンドであることができる、或は好ましくは２つまたはそれ以上に曲り部を備えているコイルばねであることができる。ばねは、曲率半径を拡大するか或は縮小するように弾性的に調節することができるばね金属で製造される。
【００１０】
弾性の順環状バンドの形態またはコイルばねの形態の制動手段は、好ましくは、間隔を隔てられた曲げ端部分を規定している。この構成は、逆駆動負荷が受けられるときの駆動部材の回転時、駆動部材は、その回転方向に応じてばねの端部分のうちの一方と協働するようになっている。この構成では、駆動部材と端部分との間の協働は、バンドまたはばねがその曲率半径を増大させ、かくして制動表面に対する制動負荷を増大させるようなものである。好ましくは、端部分は、駆動部材による係合のために制動表面から内方に延びている。
【００１１】
駆動部材は、好ましくは、ギア結合により、最も好ましくは、スパーギア結合により被駆動部材に結合されている。駆動部材は、被駆動部材のギア部分との噛み合い係合のために回転可能な入力部材から同軸に延びている歯付きスピンドルのような回転可能な入力部材と同軸の第１スパーギアを有してもよい。被駆動部材は、全円形の第２のスパーギアを有することができるが、本発明の１つの好適な形態では、被駆動部材は、部分円形の第２のスパーギアを有している。その形態では、この部分円形のスパーギアは、約１２０°の円弧を通って延びてもよい。被駆動部材における第２のスパーギアの弧状広がりは、ボードンケーブルのワイヤとスリーブとの間に必要とされる移動範囲に関連付けされており、従って、スパーギアは、１００°から１４０°までのような１２０°より小さいまたは大きい量だけ弧状に延びることができる。
【００１２】
変更例として、特に、ノイズおよび背隙が最小にされるならば、螺旋形のギア構成体が用いられることができる。更に変更例として、ギア連結が、ベルト・プーリー連結、例えば、スプロケット相互間で作動可能な歯付きベルトを使用した連結と取り替えられることができる。
【００１３】
駆動部材は、好ましくは、回転可能な入力部材に結合するための第１の部分と、被駆動部材に結合するための第２の部分と、第１および第２の部分の間に配置されて制動手段と協働するための第３の部分とよりなる３つの部分を有している。本発明の幾つかの実施の形態では、第１、第２および第３の部分は、共通の軸線を有しており、第３の部分は、この共通の軸線に対して直角な主表面を有するほぼ円形のディスクである。駆動部材のこの形態では、当接手段が、制動手段と協働するためのディスクの１つの主表面から、例えばディスクの周縁部のところで、延びることができる。この当接手段は、好ましくは、ディスクの外周を越えて延びている。
【００１４】
当接手段は、概ね互いから離れる方に向いていて、ディスクの周方向に互いから間隔を隔てられ、そして制動手段を形成するばねの内方に延びている端部分相互間に位置されるように配置されている１対の当接表面を規定することができる。当接表面と夫々の内方に延びているばねの端部分との間の周方向の間隔は、駆動部材の静止位置では、小さくあるべきである。これは、逆駆動負荷下での駆動部材のほんの少量の回転の結果、当接面のうちの一方がばねの端部分のうちの一方に係合してばねを撓ませ、そしてその曲率半径を増大させ、それにより逆駆動負荷の阻止するために制動表面に対する制動負荷を増大させるようになっている。
【００１５】
回転可能な入力部材は、また、互いに向けて周方向に向いている１対の周方向に間隔を隔てられた当接表面を規定する当接手段を有することができ、駆動部材の当接手段が、これらの当接表面相互間に受入れ可能である。この構成によれば、ばねの各端部分は、各々が夫々の当接手段により規定される２つの対向している当接表面相互間に位置される。従って、入力負荷が入力部材に加えられると、入力部材の当接表面にうちの一方は、ばねの間隔を隔てられた端部分のうちの一方に係合してばねの曲率半径を縮小し、それにより制動表面に対する制動負荷を減少させる。同様に、回転可能な入力部材の当接面は、回転可能な入力部材のほんの少しの回転により当接表面をばねの一方の端部分と係合させてばねを収縮すると言う同じ理由で、ばねの端部分の近くに位置されることができる。
【００１６】
かくして、駆動部材および回転可能な入力部材の夫々の当接手段の対向している当接表面の狭い間隔の結果、ばねの端部分の係合のための駆動部材または回転可能な入力部材の少しの回転運動が達成される。本発明の幾つかの実施の形態では、回転運動は、４°ないし１０°より大きくはなく、幾つかの実施の形態では、４°から６°まである。
【００１７】
ばねの曲率半径の拡張または縮小が、アクチュエータに加えられる負荷に依存していることはわかるべきである。入力負荷は、ばねを撓ませてその曲率半径を減少させるようにして入力部材を駆動してばねに係合させ、他方、逆駆動負荷は、ばねを撓ませてその曲率半径を減少させるようにして駆動部材をばねに係合させる。
【００１８】
回転可能な入力部材および駆動部材を入力負荷下で回転させるために制動負荷が完全に減少されることは必要ではない。或る場合には、制動負荷の減少ができるだけ大きいことが望まれることがあるが、入力負荷の影響下で回転可能な入力部材の回転時にばねが制動表面に対してスリップするように、小さい残留制動負荷がばねに維持されることが許容可能であってもよい。
【００１９】
選択自由として、アクチュエータは、いずれかの方向における所定量の回転の後に回転可能な入力部材の回転を止めるために停止手段を有している。例えば、回転は、必要とされるランバー支持体の調節の全範囲にわたる極限位置の各々で終了されることができる。好適な構成では、回転可能な入力部材は、その全範囲を達成する際に約２回転で回転可能である。
【発明を実施するための最良の形態】
【００２０】
本発明をよく理解するために、且つ本発明が如何に行われ得るかを示すために、添付図面を参照して本発明の実施の形態を非限定的な例として以下に説明する。
【００２１】
図１は、組立てられたアクチュエータ１０を示しており、図２は、個々の部品を示すアクチュエータ１０の分解図である。このアクチュエータ１０は、ハウジング１１を有しており、このハウジング１１は、上側のハウジング部品１２と、下側のハウジング部品１３とを有している。これらのハウジング部品１２、１３は、部品１２のスナップロックタブ１２ａを部品１３の受入れタブ１３ａの中へ連結することにより相互に連結されている。
【００２２】
アクチュエータ１０は、（図１に部分的に破断されて示されている）手動で回転可能な取っ手、即ちノブ１４を有しており、またハウジング１１内に、ばねブレーキ１５と、回転可能な入力部材１６と、駆動部材１７と、被駆動部材１８とを有している。これらの部材の各々は、取っ手１４とばねブレーキ１５とを除いて、図３ないし図７における２つの図に別々に示されている。
【００２３】
上側ハウジング１２は、回転可能な入力部材１６の中空の上側スプライン付き延長部２１を受入れる円筒形部分２０を有している。入力部材１６の中空の上側スプライン付き延長部２１は、作動ノブ１４の内スプライン付きの内側スリーブ１４ａが円筒形部分２０に挿入されてスプライン付き延長部２１に係合することができるように、円筒形部分２０の内壁部２２から間隔を隔てられている。かくして、ノブ１４の手動回転により、入力部材１６は回転可能である。
【００２４】
ばねブレーキ１５は、コイルばねでできており、ばね１５の各端部分１５ａ、１５ｂは、内方に延びるように曲げられている。ばね１５は、入力部材１６の起立している部分環状の壁部２５の表面２４のまわりに嵌るのに十分な直径を有している。ばね１５は、端部分１５ａ、１５ｂが壁部２５の各端部のところで夫々の当接部２６、２７（図６）の半径方向の表面の前方で内方に延びるように配置されている。入力部材１６は、ばね１５を支持するために壁部２５のまわりにフランジ２８を有している。
【００２５】
入力部材１６は、その下側に、フランジ２８の深さ内の凹部３０を規定しており、この凹部３０内に、駆動部材１７の一部が受入れられている。入力部材１６の構成は、駆動部材１７の円形ディスク３１が凹部３０内に緩く回転可能の嵌るような構成である。しかも、入力部材１６の端面２６、２７間の周方向の隙間Ｇは駆動部材１７のディスク３１の当接部３２を受入れるのに十分より大きく、当接部３２の端当接面３３、３４の各々は、各ばねの端部分１５ａ、１５ｂが対向された表面対２６、３３および２７、３４の夫々の一方の間に緩く位置決めされることができるように、端面２６、２７に対向されているが、それらから狭く間隔を隔てられている。
【００２６】
駆動部材１７は、スピンドル３５を有している。このスピンドル３５は、入力部材１６のスプライン付き端部２１に形成された孔３６内に受入れられ、それにより凹部３０内へのディスク３１の受入れを可能にしている。
【００２７】
駆動部材１７は、スピンドル３５から遠い方のディスク３１の主面から突出しているスプライン付きのシャフト３７を有している。このシャフト３７はスピンドル３５と同軸に延びており、またシャフト３７は、駆動部材１８に形成されたスパーギア３８と歯係合可能に配置されている。駆動部材１８は、上側ハウジング部品１２の内面４２から突出しているボス４１が受入れられる孔４０を規定している。ボス４１の下端部４１は、ハウジング部品１２、１３が互いに連結されると、下側ハウジング部品１３の環状ビード４１ｂに位置するように４１ａのところで凹部付きである。被駆動部材１８は、駆動部材１７の回転時にボス４１の軸線Ｘ-Ｘのまわりに回転するように駆動される。更に、被駆動部材１８は、ボードンケーブル４７の作動ワイヤ４６の端部に取付けられているバーレル４４を受入れるべきスロット付き開口部４３を有している。更に、被駆動部材１８は、ワイヤ４６を両方向のうちの選択された一方に延ばすことができるように開口部４３の各側に延びているケーブル溝４８を有している。
【００２８】
図８は、特にばね１５との相互作用に関して（共に突起として示され、且つ破線の輪郭線で示されている）入力部材１６および駆動部材１７の配置を例示するために示されている上側ハウジング部品１２の図である。図８では、ばね１５は、ハウジング部品１２により規定された環状凹部５０内に受入れられて示されている。ばねの弾性は、拡張して凹部５０の周壁部５２と摩擦係合するように付勢される程度である。かくして、ばね１５の自然の曲率半径は、ばねが凹部５０に受入れられるために減少されなければならない。
【００２９】
ばね１５が凹部５０に受入れられた状態で、ばねの端部分１５ａは、対向された表面２５、３３の相互間に位置されており、ばねの端部分１５ｂは、対向された表面２７、３４の相互間に位置されている。各々の場合、夫々の対向された表面は、夫々のばねの端部分１５ａ、１５ｂとの係合からわずかに間隔を隔てられている。
【００３０】
アクチュエータ１０の部品が相互に組付けられた状態では、被駆動部材１８はボス４１に保持されていて、ボス４１の軸線Ｘ-Ｘを中心として回転可能である。また、駆動部材１７は、入力部材１６に入れ子状に嵌り、そのスピンドル３５が入力部材１６の延長部２１の孔３６に受入れられ、駆動部材１７のディスク３１が入力部材１６の凹部３０に位置され、そして当接部３２が部材１６の表面２６、２７間にある。部材１６の延長部２１は、ハウジング１１の上側部品１２の円筒形部分２０内に同軸に位置され、次いで、ノブ１４の内側スリーブ１４ａが部分２０に受入れられて延長部２１とスプライン結合する。ばね１５は、その端部１５ａ、１５ｂが図８に示されるように夫々の対向表面相互間に位置されて入力部材１６の壁部２５の表面２４のまわりに位置される。ばね１５の付勢力が弾性により発生され、且つばね１５が凹部５０に受入れられるためにばね１５の曲率半径を減少させる必要がある結果、ばね１５は、凹部５０の周壁部５２に摩擦係合する。かくして、ノブ１４、入力部材１６、駆動部材１７およびばね１５は、部分２０を通る共通の軸線Ｙ-Ｙを有しており、この軸線Ｙ-Ｙは、軸線Ｘ-Ｘとほぼ平行であり、軸線Ｘ-Ｘから横方向にずれている。このずれは、スプライン付きシャフト３７により規定される歯が被駆動部材１８上のギア３８の歯と噛み合う程度である。わかるように、入力部材１６の壁部２５及び延長部２１、ならびに駆動部材１７のスピンドル３５、ディスク３１およびシャフト３７は、すべて軸線Ｙ-Ｙを中心として回転可能である。
【００３１】
ボードンケーブルをアクチュエータ１９に取着することが必要とされる場合、まず、ボードンケーブル４７をアクチュエータ１０の両側のうちのどちらの側に延びるべきかを定めることが適切である。これが図７に示されている如くであると仮定して、被駆動部材１８は、図７で見られるように反時計方向に回転されて開口部４３をハウジング１１の上側部品１２の対応する開口部５４と一致して位置させてボードンケーブル４７のワイヤ４６のバーレル４４を部材１８の開口部４３に位置させる。すると、バーレル４４が取着された状態で、ケーブル４７のワイヤ４６は開口部４３のスロット４３ａおよびハウジング部品１２ａの開口部５４のスロット５４ａの中へ落下することができる。次いで、部材１８は、図７に示されるように、時計方向に回転されてワイヤを溝４４に沿ってケーブル４７のスリーブ５６から長さ方向に引張り、スリーブ５６の端部がハウジング１１に着座することができる。
【００３２】
アクチュエータ１０の作動は以下の如くである。被駆動部材１８から延びているボードンケーブルによりアクチュエータが連結されるランバー支持体を調節することが望まれる場合、回転入力負荷が、ノブ１４により入力部材１６、特にスピンドル付き端部２１に加えられる。その入力負荷が時計方向または反時計方向に加えられることにより、入力部材１６を回転させる。例示の目的で、入力負荷が入力部材１６に時計方向の回転を与えるものと仮定される。かくして、入力部材１６の端面２７は、移動してばねの端部分１５ｂと係合する。入力部材１６の継続回転により、ばねの端部分１５ｂを同じ回転方向に移動させる。ばね１５は、凹部５０の周壁部５２と摩擦係合しているので、それ自身、初めは回転を開始しない。しかしながら、ばねの端部分１５ｂを回転方向に移動させることによって、ばね１５のコイルを締め付け、それによりその曲率半径を減少させる端部分１５ｂの移動に起因してばね１５と凹部の壁部５２との間の摩擦負荷に減少が生じる。かくして、入力部材１６を回転させるのに必要とされる労力が、入力負荷がばね１５と凹部の壁部５２との間の全摩擦負荷を解消することも必要である場合より低いように、凹部５０に対するばね１５の回転抵抗の減少が生じる。
【００３３】
入力部材１６の継続回転により、ばねの端部分１５ｂを更に移動させてばね１５と凹部の壁部５２との間の摩擦負荷の減少を更に維持する。また、継続回転により、入力部材１６の端部２７を駆動部材１７の向き合い当接表面３４に向けて移動させる。配置は、表面２７、３４が当接するような、或は表面２７、３４が当接しないが、代わりにそれらの間にばね端部分１５ｂを挟むような配置である。どちらの配置を用いても、継続回転により、ばね１５を凹部の壁部５２に対してスリップさせ、駆動部材１７を回転させる。この結果、部材１７のスプライン付きシャフト３７と部材１８のギア３８とからなる噛み合ッタスパーギアにより、被駆動部材１８を反時計方向に回転させる。かくして、被駆動部材１８は、ボードンケーブル４７のワイヤ４６を長さ方向に移動させてボードンケーブルをスリーブ５６の中へ引っ込ます。入力部材１６は、ランバー支持体が適切に調節され、それで更なる回転が断続されるまで、回転され続けることができる。
【００３４】
本発明は、ランバー支持体に対して所望の調節が行われたら、ボードンケーブルワイヤ４０を通る逆駆動負荷を阻止するようになっている。単に、ランバー支持体が予備調節された或は緩和された状態へ戻る自然傾向を有するために、逆駆動負荷が生じることがあり、或は車両乗員により車両シートに着座することにより加えられる圧力によって、ランバー支持体がワイヤ４６を通して逆駆動負荷を被駆動部材１８に与えることもある。かくして、逆駆動負荷下での傾向は、被駆動部材１８が時計方向に回転し、それによりケーブルワイヤ４６をその先の設置位置から移動させ、ランバー支持体が、無意識に調節されることである。しかしながら、アクチュエータ１０は、ランバー支持体を備えた通常に使用において遭遇される負荷を超える限度までの逆駆動負荷下で被駆動部材１８の回転を防ぐ。この防止は、被駆動部材１８に作用する逆駆動負荷下でばね１５が回転に抗して駆動部材１７を制動することにより生じる。
【００３５】
被駆動部材１８に加えられる逆駆動負荷により被駆動部材１８を図７におけるその配向に対して時計方向に回転させることを仮定すると、傾向は、駆動部材１７が反時計方向に回転することである。かくして、当接部３２もまた、反時計方向に回転し、それにより当接部３２の当接表面３４をばね１５のばね端部分１５ｂに係合させる。駆動部材１７の継続された反時計方向の回転により、入力部材１６を時計方向に回転させる入力負荷について前述した移動と反対のばね１５の移動を引き起こす。すなわち、当接部３２はばね１５を拡張してばね１５が配置されている凹部５０の壁部５２とよりしっかり係合させる。このよりしっかりした係合は、駆動部材１７を回転に対して制動し、また、駆動部材および被駆動部材１８が互いに結合されているので、被駆動部材１８の回転も阻止される。
【００３６】
本発明の幾つかの実施の形態に見られる１つの利点は、入力負荷を時計方向または反時計方向に入力部材１６に差し向けることにより、ばね１５と凹部の壁部５２との間の制動負荷の減少を引き起こすと言う点である。何故なら、いずれかの方向において、ばねの端部分１５ａ、１５ｂのうちの一方が入力部材１６の夫々の端面２６、２７により係合されるからである。同様に、いずれかの回転方向において、駆動部材１７の当接部３２がばねの端部分１５ａ、１５ｂのうちの一方に係合し、いずれかの方向におけるこの係合により、ばね１５により凹部の壁部５２加えられるべき増大された制動を引き起こすので、逆駆動負荷は、これが被駆動部材１８に影響する時計方向または反時計方向に回転させるかどうかにかかわらず阻止される。被駆動部材１８を駆動してこれに連結されたケーブルを引っ込めるために入力部材に加えられる入力負荷は、ボードンケーブル４７にすでに存在しているいずれの残留逆駆動負荷にも打ち勝つのに十分であらねばならないことがわかるであろう。有利には、本発明は、入力負荷が被駆動部材１８を介して増加されるように駆動部材１７と被駆動部材１８との間のギア減速を図っている。しかも、本発明は、逆駆動に対する抵抗が効率の低いねじ機構により与えられる従来のランバー支持体アクチュエータとは対照的に、非常に高い効率のギア構成を用いることができる。従来のアクチュエータのその形態では、入力負荷は、このようなねじ機構における制動負荷に打ち勝つのに十分であらねばならなく、これにより、加えられることが必要とされる入力負荷を著しく増大することができる。本発明の幾つかの実施の形態では、部材１７、１８間のスパーギア構成が約６：１の減速をもたらす。
【００３７】
上側ハウジング１２の円筒形部分２０の外面２０ａは、ノブ１４の外周スカート１４ｂの内面に形成された周方向に溝１４ｃと協働するように配置されている隆起された弧状のビード５９を有している。凹部は、ノブ１４を部分２０の上方に位置させるためにビード５９を受入れるようになっている。ノブ１４は、更に、ノブ１４の回転により入力部材１６の回転を引き起こすように、内側スリーブ１４ａに形成されていて、スプライン付き端部２１のスプラインと相補するスプライン１４ｄを持つ孔を有している。
【００３８】
図１に示されるアクチュエータ１０の組立て形態では、コンパクトなアクチュエータが設けられる。しかも、駆動部材１７と被駆動部材１８との間のギア結合部は、被駆動部材１８の丸１回転の運動のために駆動部材１７のたった２回転が必要とされるように、配置されることができる。これは最高５回転が必要とされる他の公知のアクチュエータに非常に有利に匹敵する。
【００３９】
部材１７、１８間の約６：１のギア比は、被駆動部材の十分な回転運動を達成するために駆動部材の約２回転を可能にするのを助ける。この点では、十分な運動は、ボードンケーブル４７のワイヤ４６とスリーブ５６との間の相対的な長い移動の必要範囲を与えるのに十分である運動を意味している。被駆動部材１８の形態は、これらの点を補助する、何故なら、図７および図８に示されるように、被駆動部材１８におけるスロット付き開口部４３がスパーギア３８の弧状広がりに対して対称に位置されているからである。また、開口部４３の中心は、ギア３８の半径より大きい距離だけ、例えば、ギア３８の半径の１０ないし２０％、幾つかの実施の形態では約１５％の量だけ、ギア３８の湾曲の中心を超えて間隔を隔てられている。また、溝３８の半径は、軸線Ｘ-Ｘに対して、ギア３８の半径より大きい最大値からギア３８の半径より小さい最小値まで変化している。溝４８の最大の半径は、開口部４３の中心を通っており、最小の半径は、開口部４３の中心の各側に対して１２０°である。溝４８の半径のこの変化は、入力回転速度に対して横方向のケーブルの速度の変化を生じるためである。この構成によれば、ケーブルが最小のケーブルの伸張においてより急速に移動し、そして例えばランバー支持体のより一様な調節率を達成するために、最大のケーブルの伸張に近づくにつれて、さほど急速ではなく移動する。
【００４０】
アクチュエータ１０が、ボードンケーブル４７を２つの方向のうちのいずれかから受入れて、アクチュエータの左側および右側変型の必要性を無くすことは注意すべきである。かくして、上側ハウジング部品１２は、開口部５４を有することに加えて、スロット６０ａを持つ第２のスロット付き開口部６０を有している。開口部５４、６０は、ハウジング１１の両側に対称に配置されており、ケーブル４７は、開口部５４、６０のいずれかを介してアクチュエータ１０に連結することができる。
【００４１】
ここに記載の本発明による実施の形態は、特定的に説明されたもの以外の変形例、変更例および／または追加例を受入れ可能であり、本発明が、前述の説明の精神および範囲内に入るすべてのこのような変形例、変更例および／または追加例を含むことは理解されるであろう。
【図面の簡単な説明】
【００４２】
【図１】本発明の１つの実施の形態によるアクチュエータの斜視図である。
【図２】図１のアクチュエータの分解図である。
【図３】図１のアクチュエータの上側ハウジング部品の上側斜視図である。
【図３ａ】図１のアクチュエータの上側ハウジング部品の下側斜視図である。
【図４】図１のアクチュエータの下側ハウジング部品の上側斜視図である。
【図４ａ】図１のアクチュエータの下側ハウジング部品の下側斜視図である。
【図５】図１のアクチュエータの駆動部材の上側斜視図である。
【図５ａ】図１のアクチュエータの駆動部材の下側斜視図である。
【図６】図１のアクチュエータの入力部材の上側斜視図である。
【図６ａ】図１のアクチュエータの入力部材の下側斜視図である。
【図７】図１のアクチュエータの被駆動部材の上側斜視図である。
【図７ａ】図１のアクチュエータの被駆動部材の下側斜視図である。
【図８】図５および図６の入力部材および駆動部材の投影を示しおり、またアクチュエータのばねブレーキを示している図３ｂの上側ハウジング部品の内側斜視図である。
【図１】
2007278509.tif 000003
【図２】
2007278509.tif 000004
【図３】
2007278509.tif 000005
【図３ａ】
2007278509.tif 000006
【図４】
2007278509.tif 000007
【図４ａ】
2007278509.tif 000008
【図５】
2007278509.tif 000009
【図５ａ】
2007278509.tif 000010
【図６】
2007278509.tif 000011
【図６ａ】
2007278509.tif 000012
【図７】
2007278509.tif 000013
【図７ａ】
2007278509.tif 000014
【図８】
2007278509.tif 000015
【外国語明細書】
2007278509000001.pdf